(57)【要約】      （修正有）【課題】液晶パネルと、該液晶パネルの表示面に対向する透明板を有し、前記液晶パネルを収納するカバーケースとを有する液晶表示装置において、前記透明板に外光が映り込む現象や、前記液晶パネルの表示画像の二重映りなどの問題を解消した液晶表示装置の提供。【解決手段】液晶セル、及びその両側に偏光板が設置された液晶パネルと、バックライトとを有する液晶モジュールと、前記液晶セルの表示面に対向する透明板を有し、前記液晶モジュールを収納するカバーケースとを有する液晶表示装置であって、鏡面反射率及び積分球反射率の双方がそれぞれ３．０％以下を示す第１の反射防止層が前記透明板の片面または両面に形成され、かつ鏡面反射率が３．０％以下を示す第２の反射防止層が前記液晶セルの表示面に形成されたことを特徴とする液晶表示装置である。【選択図】図１
2008256728.tif 000002
【特許請求の範囲】
【請求項１】
液晶セル、及びその両側に偏光板が設置された液晶パネルと、バックライトとを有する液晶モジュールと、
前記液晶セルの表示面に対向する透明板を有し、前記液晶モジュールを収納するカバーケースとを有する液晶表示装置であって、
鏡面反射率及び積分球反射率の双方がそれぞれ３．０％以下を示す第１の反射防止層が前記透明板の片面または両面に形成され、かつ鏡面反射率が３．０％以下を示す第２の反射防止層が前記液晶セルの表示面に形成されたことを特徴とする液晶表示装置。
【請求項２】
第１の反射防止層、及び第２の反射防止層の少なくともいずれかは、表面処理されたフィルムまたは反射防止フィルムの少なくともいずれかである請求項１に記載の液晶表示装置。
【請求項３】
第１の反射防止層は、鏡面反射率及び積分球反射率の双方が１．０％未満を示すＡＲ層、鏡面反射率及び積分球反射率の双方が１．０％〜３．０％を示すＬＲ層、のいずれかであり、
第２の反射防止層は、鏡面反射率及び積分球反射率の双方が１．０％未満を示すＡＲ層、鏡面反射率及び積分球反射率の双方が１．０％〜３．０％を示すＬＲ層、または鏡面反射率が３．０％以下かつ積分球反射率が４．０％以上を示すＡＧ層のいずれかである請求項１から２のいずれかに記載の液晶表示装置。
【請求項４】
カバーケースが、断熱性部材によって作製された請求項１から３のいずれかに記載の液晶表示装置。
【請求項５】
カバーケース内に、加熱手段が設けられた請求項１から４のいずれかに記載の液晶表示装置。
【請求項６】
車載用インストルメントパネルとして使用される請求項１から５のいずれかに記載の液晶表示装置。
【発明の詳細な説明】
【技術分野】
【０００１】
本発明は、液晶パネルがカバーケースに収納された液晶表示装置に関する。
【背景技術】
【０００２】
液晶表示装置は、液晶セルと偏光板で形成されている液晶パネルと、光源であるバックライトユニット、液晶パネルの電極に信号を印加するための駆動回路、更に外部からの画像信号を液晶パネル駆動信号に変換する為の信号処理回路から構成されている。
【０００３】
液晶セルは、互いに対峙する一対の透明基板と、基板間に狭持された液晶層を有しており、ＴＮ液晶セル、ＯＣＢ液晶セル、ＥＣＢ液晶セル、ＶＡ液晶セル、ＩＰＳ液晶セル等の方式の液晶セルがある。
【０００４】
偏光板は、偏光膜と保護膜から形成され、ポリビニルアルコールフィルム（ＰＶＡ）からなる偏光膜の両面を、フィルム材料であるトリアセテートセルロース（ＴＡＣ）、ラクトン環含有重合体を含有する熱可塑性樹脂フィルム等の保護膜にて積層したものであり、液晶セルの外側にそれぞれ１枚ずつ配置される。
【０００５】
液晶表示装置は、パネル駆動回路において、液晶セル内の印加電圧を制御することで液晶セル内の複屈折性を制御し、この複屈折性の制御と偏光板との組み合わせを用いて、画像表示を行っている。
【０００６】
このような液晶表示装置では、液晶分子の動作条件が強い温度依存性を有しており、一般に、低温になるほど液晶の応答時間が長くなる。
【０００７】
その結果、低温時には、強い残像の発生、コントラスト低下が生じるなど、著しく表示性能が低下する問題が発生する。
【０００８】
この問題に対して、液晶パネル表示面に対向する面に透明板を有し、液晶パネルを熱的に分離・支持するように構成された断熱材カバーケースに収納した状態での使用が提案されている（特許文献１参照）。
【０００９】
しかしながら、特許文献１に記載の構成では、前記透明板に外光が映り込む現象の発生や、表示画像が二重映りするなど、表示品質を低下させる新たな問題が発生していた。
【００１０】
【特許文献１】特開平６−３３３５８６号公報
【発明の開示】
【発明が解決しようとする課題】
【００１１】
本発明の課題は、従来における諸問題を解決し、液晶パネルと、該液晶パネルの表示面に対向する透明板を有し、前記液晶パネルを収納するカバーケースとを有する液晶表示装置において、前記透明板に外光が映り込む現象や、前記液晶パネルの表示画像の二重映りなどの問題を解消した液晶表示装置を提供することである。
【課題を解決するための手段】
【００１２】
前記課題を解決するための手段は以下の通りである。即ち、
＜１＞  液晶セル、及びその両側に偏光板が設置された液晶パネルと、バックライトとを有する液晶モジュールと、
前記液晶セルの表示面に対向する透明板を有し、前記液晶モジュールを収納するカバーケースとを有する液晶表示装置であって、
鏡面反射率及び積分球反射率の双方がそれぞれ３．０％以下を示す第１の反射防止層が前記透明板の片面または両面に形成され、かつ鏡面反射率が３．０％以下を示す第２の反射防止層が前記液晶セルの表示面に形成されたことを特徴とする液晶表示装置である。
＜２＞  第１の反射防止層及び／又は第２の反射防止層は、表面処理されたフィルムまたは反射防止フィルムの少なくともいずれかである前記＜１＞に記載の液晶表示装置である。
＜３＞  第１の反射防止層は、鏡面反射率及び積分球反射率の双方が１．０％未満を示すＡＲ層、鏡面反射率及び積分球反射率の双方が１．０％〜３．０％を示すＬＲ層、のいずれかであり、
第２の反射防止層は、鏡面反射率及び積分球反射率の双方が１．０％未満を示すＡＲ層、鏡面反射率及び積分球反射率の双方が１．０％〜３．０％を示すＬＲ層、または鏡面反射率が３．０％以下かつ積分球反射率が４．０％以上を示すＡＧ層のいずれかである前記＜１＞から＜２＞のいずれかに記載の液晶表示装置である。
＜４＞  カバーケースが、断熱性部材によって作製された前記＜１＞から＜３＞のいずれかに記載の液晶表示装置である。
＜５＞  カバーケース内に、加熱手段が設けられた前記＜１＞から＜４＞のいずれかに記載の液晶表示装置である。
＜６＞  車載用インストルメントパネルとして使用される前記＜１＞から＜５＞のいずれかに記載の液晶表示装置である。
【発明の効果】
【００１３】
本発明によれば、従来における諸問題を解決し、液晶パネルと、該液晶パネルの表示面に対向する透明板を有し、前記液晶パネルを収納するカバーケースとを有する液晶表示装置において、前記透明板に外光が映り込む現象や、前記液晶パネルの表示画像の二重映りなどの問題を解消した液晶表示装置を提供することができる。
【発明を実施するための最良の形態】
【００１４】
以下、本発明の液晶表示装置について詳細に説明する。
【００１５】
（液晶表示装置）
＜構成＞
図１は、本発明の液晶表示装置の構成を示す断面図である。
図１に示すように、本発明の液晶表示装置１は、液晶モジュール２と、カバーケース３とを有する。
液晶モジュール２は、液晶パネル４と、バックライト５０とを有する。
液晶パネル４は、液晶セル１０と、液晶セル１０を挟持するように配置された第１の偏光板２０、及び第２の偏光板３０とを有する。
カバーケース３は、無蓋有底の箱形状をなす本体部３ａと、該本体部３ａの蓋となって本体部３ａの内部を略密閉された空間とする透明板３ｂとを有する。
カバーケース３は、透明板３ｂが液晶セル１０の表示面に対向するように、液晶パネル４を収納する。
このようにして構成された液晶表示装置１は、カバーケース３によって液晶パネル４が外気から遮断され、液晶表示装置１が低温環境下に置かれた場合でも、カバーケース３がない場合に比べて、液晶パネル４が適正に動作するように構成されている。
なお、カバーケース３は、液晶パネル４を外気から適切に遮断できるように、断熱材などで構成されていることが好ましい。
ここで、前記断熱材とは、熱伝導率に関するＪＩＳ規格試験で認定の評価を得る材料であることが好ましい。
【００１６】
＜液晶セル＞
本発明の液晶表示装置に用いられる液晶セル１０は、ＴＮ（ＴｗｉｓｔｅｄＮｅｍａｔｉｃ）モード、ＶＡ（ｖｅｒｔｉｃａｌｌｙａｌｉｇｎｅｄ）モード、ＯＣＢ（ｏｐｔｉｃａｌｌｙｃｏｍｐｅｎｓａｔｅｄｂｅｎｄ）モード、ＩＰＳ（ｉｎ−ｐｈａｓｅｓｗｉｔｃｈｉｎｇ）モード、又はＥＣＢ（ｅｌｅｃｔｒｉｃａｌｌｙｃｏｎｔｒｏｌｌｅｄｂｉｒｅｆｒｉｎｇｅｎｃｅ）モードのいずれでもよいが、これらの中でも、低温環境における駆動能力が比較的高いことから、ＯＣＢモードであることが好ましい。
【００１７】
液晶セルにおいては、第１の基板、及び第２の基板において液晶分子に接触する表面（以下、「内面」という場合がある）には、配向膜が形成されており、電界無印加状態もしくは低印加状態における液晶分子の配向が制御されている。
また、第１の基板の内面、及び第２の基板の内面には、液晶層に電界を印加可能な透明電極が形成されている。
【００１８】
ここで、液晶層の厚さｄと、屈折率異方性Δｎとの積Δｎｄの大きさは、白表示時の明るさを変化させる。このため最大の明るさを得るために表示モード毎にその範囲を設定する。
また、第２の偏光板の吸収軸と、第１の偏光板の吸収軸との交差角は、一般に概略直交に積層することで高コントラストが得られる。
本発明の液晶表示装置は、他の部材を含んでいてもよい。例えば、液晶セルと偏光子との間にカラーフィルターを配置してもよい。
また、上記構成では、液晶セルと、第１の偏光板との間に光学補償フィルムを配置した構成を示したが、液晶セルと、第２の偏光板との間にも、第１の偏光板と同様に光学補償フィルムを配置してもよい。
光学補償フィルムは、粘着剤で貼合した積層形態で配置されてもよいし、第１の偏光板、及び第２の偏光板において液晶セル側に配置される保護フィルムの一方を視野角拡大に使用した、いわゆる一体型楕円偏光板として配置されてもよい。
【００１９】
また、バックライト５０は、本発明の液晶表示装置を透過型として使用する場合に、冷陰極、あるいは熱陰極蛍光管、あるいは発光ダイオード、フィールドエミッション素子、エレクトロルミネッセント素子を光源とするバックライトが採用される。
【００２０】
＜偏光板＞
本発明の液晶表示装置に用いられる偏光板は、偏光子と、該偏光子を挟持するように設置された２つ以上の保護フィルムとを有してなる。
ここで、前記バックライトと、該バックライト側の保護フィルムとの間には、必要に応じて、輝度向上フィルムなどが設けられる。
【００２１】
＜反射防止層＞
以下に、本発明の液晶表示装置に用いられる反射防止層について説明する。
本発明の液晶表示装置は、複数の反射防止層として、鏡面反射率及び積分球反射率の双方がそれぞれ３．０％以下を示す第１の反射防止層と、鏡面反射率が３．０％以下を示す第２の反射防止層とを有する。
前記反射防止層としては、ＡＧ（アンチグレア）層、ＡＲ（反射防止）層、及びＬＲ（低屈折率）層の形成が挙げられ、前記各層は、反射防止層を施す対象に対して表面処理する形態でも、前記対象にフィルムとして設置する形態でもよい。なお、各層については、下記表１に示す鏡面反射率及び積分球反射率で定義される性能を有したものを使用した。
具体的には、第１の反射防止層は、鏡面反射率及び積分球反射率の双方が１．０％未満を示すＡＲ層、鏡面反射率及び積分球反射率の双方が１．０％〜３．０％を示すＬＲ層、のいずれかであり、第２の反射防止層は、鏡面反射率及び積分球反射率の双方が１．０％未満を示すＡＲ層、鏡面反射率及び積分球反射率の双方が１．０％〜３．０％を示すＬＲ層、または鏡面反射率が３．０％以下かつ積分球反射率が４．０％以上を示すＡＧ層のいずれかである。
【００２２】
また、前記鏡面反射率は、反射防止フィルムを分光光度計Ｖ−５５０（日本分光（株）製）に装着して、３８０〜７８０ｎｍの波長領域において、入射角５°における鏡面分光反射率を測定し、４５０〜６５０ｎｍの平均反射率で算出した値であり、前記積分球反射率は、反射防止フィルムを分光光度計Ｖ−５５０（日本分光（株）製）の積分球に装着し、３８０〜７８０ｎｍの波長領域において、入射角５°における積分分光反射率を測定し、４５０〜６５０ｎｍの平均反射率で算出した値である。なお、下記表１中において、「ＣＬＥＡＲ」は、偏光板表面に反射防止処理がされていない状態を指す。
【００２３】
【表１】
2008256728.tif 000003
【００２４】
＜＜ＡＧ（アンチグレア）層＞＞
アンチグレア（防眩）層は、反射光を散乱させ映り込みを防止するために使用される。アンチグレア機能は、液晶表示装置の最表面（表示側）に凹凸を形成することにより得られる。アンチグレア機能を有する光学フィルムのヘイズは、３〜３０％であることが好ましく、５〜２０％であることが更に好ましく、７〜２０％であることが特に好ましい。
前記表面に凹凸を形成する方法は、例えば、微粒子を添加して膜表面に凹凸を形成する方法（例えば、特開２０００−２７１８７８号公報等）、比較的大きな粒子（粒径０．０５〜２μｍ）を少量（０．１〜５０質量％）添加して表面凹凸膜を形成する方法（例えば、特開２０００−２８１４１０号公報、同２０００−９５８９３号公報、同２００１−１００００４号公報、同２００１−２８１４０７号公報等）、フィルム表面に物理的に凹凸形状を転写する方法（例えば、エンボス加工方法として、特開昭６３−２７８８３９号公報、特開平１１−１８３７１０号公報、特開２０００−２７５４０１号公報等記載）等を好ましく使用することができる。
【００２５】
前記アンチグレア（防眩）層は、反射光を散乱させるので、本発明における透明板に形成されることは避けなければならない。
前記アンチグレア（防眩）層を透明板に形成した場合、液晶表示装置から発する光が、収納ケースと液晶表示装置の間の空間によってあらゆる方向から透明板に入射し、反射光を散乱させるので、透明板の外側から見た液晶表示装置の画像がぼけてしまう現象が発生する。
【００２６】
＜＜ＡＲ層、及びＬＲ層＞＞
反射防止フィルムとしては、フッ素系ポリマー等の低屈折率素材を単層付与しただけの反射率１．０〜３．０％程度のフィルム（ＬＲ層）、もしくは薄膜の多層干渉を利用した反射率１％未満のフィルム（ＡＲ層）のいずれも含むが、これらのうち、低屈折率素材を単層付与しただけの反射率１．０〜３．０％程度のフィルムを、低屈折率層とする。
反射防止フィルムとしては、前記低屈折率層、及び該低屈折率層より高い屈折率を有する少なくとも一層の層（即ち、高屈折率層、中屈折率層）を積層した構成が好ましい。
また、日東技報，ｖｏｌ．３８，Ｎｏ．１，ｍａｙ，２０００，２６頁〜２８頁や特開２００２−３０１７８３号公報などに記載された反射防止フィルムを使用することも好ましい。
【００２７】
低屈折率層の屈折率は、１．２０〜１．５５であることが好ましく、１．３０〜１．５０であることがより好ましい。
低屈折率層は、耐擦傷性、防汚性を有する最外層として使用することが好ましい。耐擦傷性向上のため、シリコーン基や、フッ素の含有する素材を用い表面への滑り性付与することも好ましく行われる。
含フッ素化合物としては、例えば、特開平９−２２２５０３号公報の明細書段落番号［００１８］〜［００２６］、同１１−３８２０２号公報の明細書段落番号［００１９］〜［００３０］、特開２００１−４０２８４号公報の明細書段落番号［００２７］〜［００２８］、特開２０００−２８４１０２号公報等に記載の化合物を好ましく使用することができる。
含シリコーン化合物は、ポリシロキサン構造を有する化合物が好ましいが、反応性シリコーン（例、サイラプレーン（チッソ（株）製）や両末端にシラノール基含有のポリシロキサン（特開平１１−２５８４０３号公報）等を使用することもできる。
また、シランカップリング剤等の有機金属化合物と特定のフッ素含有炭化水素基含有のシランカップリング剤とを触媒共存下に縮合反応で硬化させてもよい（特開昭５８−１４２９５８号公報、同５８−１４７４８３号公報、同５８−１４７４８４号公報、特開平９−１５７５８２号公報、同１１−１０６７０４号公報、特開２０００−１１７９０２号公報、同２００１−４８５９０号公報、同２００２−５３８０４号公報記載の化合物等）。
低屈折率層には、上記以外の添加剤として充填剤（例えば、二酸化珪素（シリカ）、含フッ素粒子（フッ化マグネシウム、フッ化カルシウム、フッ化バリウム）等の一次粒子平均径が１〜１５０ｎｍの低屈折率無機化合物、特開平１１−３８２０公報の段落番号［００２０］〜［００３８］に記載の有機微粒子等）、シランカップリング剤、滑り剤、界面活性剤等を含有させることも好ましい。
【００２８】
低屈折率層は、気相法（真空蒸着法、スパッタリング法、イオンプレーティング法、プラズマＣＶＤ法等）により形成されてもよいが、安価に製造できる点で、塗布法で形成することが好ましい。塗布法としては、ディップコート法、エアーナイフコート法、カーテンコート法、ローラーコート法、ワイヤーバーコート法、グラビアコート、マイクログラビア法を用いることも好ましい。
低屈折率層の厚さは、３０〜２００ｎｍであることが好ましく、５０〜１５０ｎｍであることが更に好ましく、６０〜１２０ｎｍであることが特に好ましい。中屈折率層、及び高屈折率層は、平均粒径１００ｎｍ以下の高屈折率の無機化合物超微粒子をマトリックス用材料に分散した構成とすることが好ましい。高屈折率の無機化合物微粒子としては、屈折率１．６５以上の無機化合物、例えば、Ｔｉ、Ｚｎ、Ｓｂ、Ｓｎ、Ｚｒ、Ｃｅ、Ｔａ、Ｌａ、Ｉｎ等の酸化物、これらの金属原子を含む複合酸化物等を使用することも好ましい。
このような超微粒子は、粒子表面を表面処理剤で処理したり（シランカップリング剤等：特開平１１−２９５５０３号公報、同１１−１５３７０３号公報、特開２０００−９９０８、アニオン性化合物或は有機金属カップリング剤：特開２００１−３１０４３２号公報等）、高屈折率粒子をコアとしたコアシェル構造としたり（特開２００１−１６６１０４等）、特定の分散剤併用する（例、特開平１１−１５３７０３号公報、米国特許６２１０８５８号、特開２００２−２７７６０６９号公報等）等の態様で使用することができる。
マトリックス用材料としては、従来公知の熱可塑性樹脂、硬化性樹脂皮膜等を使用できるが、特開２０００−４７００４号公報、同２００１−３１５２４２号公報、同２００１−３１８７１号公報、同２００１−２９６４０１号公報等に記載の多官能性材料や、特開２００１−２９３８１８号公報等に記載の金属アルコキシド組成物から得られる硬化性膜を使用することもできる。
【００２９】
高屈折率層の屈折率は、１．７０〜２．２０であることが好ましい。高屈折率層の厚さは、５ｎｍ〜１０μｍであることが好ましく、１０ｎｍ〜１μｍであることがより好ましい。
中屈折率層の屈折率は、低屈折率層の屈折率と高屈折率層の屈折率との間の値となるように調整する。中屈折率層の屈折率は、１．５０〜１．７０であることが好ましい。
反射防止フィルムのヘイズは、５％以下あることが好ましく、３％以下が更に好ましい。
また、反射防止フィルムの強度は、ＪＩＳ  Ｋ５４００に従う鉛筆硬度試験でＨ以上であることが好ましく、２Ｈ以上であることが更に好ましく、３Ｈ以上であることが特に好ましい。
【実施例】
【００３０】
以下、実施例により本発明を更に具体的に説明するが、本発明の実施態様はこれらに限定されるものではない。
【００３１】
（実施例１）
＜液晶表示装置の作製＞
ＴＮモードの液晶セルを搭載した液晶表示装置（ＬＬ−１５Ｇ４、ＳＨＡＲＰ製）から液晶パネルを取り出し、バックライト（ＳＨＡＲＰ製）とともに、無蓋有底の本体部３ａと、透明板３ｂとからなるカバーケース３に収納した。なお、液晶モジュール２（液晶パネル４、及びバックライト５０）をカバーケース３に収納する際には、液晶パネル４の表示面と、透明板３ｂとが対向するようにカバーケース３内に液晶モジュール２を熱的に分離されるように支持する支持部材によって設置し、カバーケース３の内壁と、液晶モジュール２との間には間隙が設けられるようにした。なお、表示に必要なバックライト用インバーター、液晶パネル駆動回路はカバーケース３の外側に設置される。
ここで、本体部３ａの材料として、発泡スチロールを選択し、寸法は、縦３００ｍｍ、横４００ｍｍ、高さ８０ｍｍであった。また、透明板３ｂの材料は、コーニング製１７３７（無アルカリガラス）を選択し、寸法は、縦２６０ｍｍ、横３４０ｍｍ、透過率は９２％であった。
偏光板は、偏光膜と保護膜から形成され、ポリビニルアルコールフィルム（ＰＶＡ）からなる偏光膜の両面を、トリアセテートセルロース（ＴＡＣ）等の保護膜にて積層したものであり、偏光板は液晶セルの外側にそれぞれ１枚ずつ配置されている。
本実施例においては、図１に示すように、「第２の反射防止層」として、ＴＮ液晶セルの表示面に設けられた偏光板（表１では「液晶パネルの表面」と記載）に、下記ＡＧフィルムを設置し、「第１の反射防止層」として、透明板の内面（液晶パネルに対向する側の面、表１では裏面と記載）、及び透明板の外面（外界に接する側の面、表１では表面と記載）に、下記ＡＲフィルムを設置した。
ここで、本発明において用いた反射防止層（ＡＧ（Ａｎｔｉ−Ｇｌａｒｅ）フィルム、ＡＲ（Ａｎｔｉ−Ｒｅｆｌｅｃｔｉｏｎ）フィルム、及びＬＲ（Ｌｏｗ−Ｒｅｆｌｅｃｔｉｏｎ）フィルム）について下記に列挙する。
・ＡＧフィルム：製品名無、鏡面反射率２．２％、積分球反射率４．５％  透過率８９．９％
・ＡＲフィルム：製品名無、鏡面反射率０．３％、積分球反射率０．８％  透過率９５．９％
・ＬＲフィルム：製品名無、鏡面反射率１．５％、積分球反射率１．５％  透過率９５．３％
【００３２】
＜二重映りの評価＞
作製した液晶表示装置について、蛍光灯照射室内で、全面黒、全面白、中間調輝度、カラーグラデーション、人物画像、風景画像の表示を行った際の２重映りについて以下の評価基準に基づき、官能評価を実施した。結果を表２に示す。
【００３３】
［評価基準］
◎：２重映りが全く〜ほとんどわからない
○：２重映りがわずかにわかる
△：２重映りが識別できるが許容内
×：２重映りが我慢できず不可
【００３４】
＜映り込みの評価＞
作製した液晶表示装置について、蛍光灯照射室内で、全面黒、全面白、中間調輝度、カラーク゛ラテ゛ーション、人物画像、風景画像の表示を行った際の映り込みについて以下の評価基準に基づき、官能評価を実施した。結果を表２に示す。
【００３５】
［評価基準］
◎：映り込みが全く〜ほとんどわからない
○：映り込みがわずかにわかる
△：映り込みが識別できるが許容内
×：映り込みが我慢できず不可
【００３６】
＜鮮鋭度の評価＞
作製した液晶表示装置について、暗室内で液晶パネルにチェッカーパターンを表示させ、鮮鋭度について、以下の評価基準に基づき、官能評価を実施した。結果を表２に示す。
【００３７】
［評価基準］
◎：非常に鮮鋭であり問題ない
○：まずまず鮮鋭であり問題ない
△：ややぼやけているが許容内
×：完全にぼやけており不可
【００３８】
（実施例２〜１２、比較例１〜１６）
実施例１において、表２に示すように反射防止層の条件を変えた以外は、実施例と同様にして、実施例２〜１２、及び比較例１〜１６の液晶表示装置を作製し、実施例１と同様にして、二重映り、映り込み、及び鮮鋭度を評価した。結果を表２に示す。
【００３９】
【表２】
2008256728.tif 000004
【００４０】
表２に示すように、実施例１〜１２の液晶表示装置は、２重映りを防止し、映り込みを防止し、及び表示画像の鮮鋭度を劣化させない液晶表示装置であることが確認された。
それらの中でも、液晶パネル表面にＡＲの反射防止処理がされており、透明板両面の反射防止処理がＡＲ処理されている実施例７が特によい結果を示した。
本発明の液晶表示装置は、カバーケースの部材を、発泡ポリプロピレンなどからなる断熱性部材とすると、寒冷地での使用として更に有効である。
また、カバーケース内に、電熱式ヒーターなどの加熱手段を設置して加熱保温機能を加えてもよい。
更に、本発明の液晶表示装置は、外界の温度に影響されず、２重映りや、映り込みを軽減し、明瞭な画像表示が可能であるので、インストルパネル用途などで自動車に搭載し、スピードメーター、タコメーターなど計器板の表示、カーナビゲーション、バックモニター、リヤシートエンターテイメントや情報端末表示用としての使用に適用することが有効である。
【図面の簡単な説明】
【００４１】
【図１】図１は、本発明の一実施形態における液晶表示装置の構成を示す断面図である。
【符号の説明】
【００４２】
１    液晶表示装置
２    液晶モジュール
３    カバーケース
４    液晶パネル
１０  液晶セル
２０  第１の偏光板
３０  第２の偏光板
５０  バックライト
１０１  第１の反射防止層
１０２  第２の反射防止層
【図１】
2008256728.tif 000005